(57)【要約】【課題】  周囲の関心を通話内容ではなく無関係な音声に向けることができ、通話内容を隠蔽することができる通話内容隠蔽システム、通話装置、通話内容隠蔽方法およびプログラムを提供する。【解決手段】  スピーカーｂ１４は、音声合成部１７で処理された音声位相反転部１５による通話者の音声の逆位相の音声データおよびダミー音声再生部１６による通話内容以外の音声データを音声として再生する。【選択図】  図１
2006303721.tif 000002
【特許請求の範囲】
【請求項１】
通話者の音声の逆位相の音声データおよび通話内容以外の音声データを音声として再生することを特徴とする通話内容隠蔽システム。
【請求項２】
通話者の音声を取り込み、電気信号に変換するマイクと、
前記電気信号を音声としての位相が逆転した電気信号に変換する音声位相反転手段と、
通話内容以外の音声の電気信号を発生するダミー音声再生再生手段と、
音声位相反転手段からの電気信号と、ダミー音声再生再生手段からの電気信号を受け取り、それぞれの信号の位相を合成した電気信号を発生する音声合成手段と、
音声合成手段からの電気信号を音声に変換し、周囲へ音声として放射するスピーカーと、を備えることを特徴とする通話内容隠蔽システム。
【請求項３】
前記通話内容以外の音声データを、通話時に保存し、その保存された音声データを音声として再生することを特徴とする請求項１または２記載の通話内容隠蔽システム。
【請求項４】
通話者の音声の逆位相の音声データおよび通話内容以外の音声データを音声として再生することを特徴とする通話装置。
【請求項５】
通話者の音声を取り込み、電気信号に変換するマイクと、
前記電気信号を音声としての位相が逆転した電気信号に変換する音声位相反転手段と、
通話内容以外の音声の電気信号を発生するダミー音声再生再生手段と、
音声位相反転手段からの電気信号と、ダミー音声再生再生手段からの電気信号を受け取り、それぞれの信号の位相を合成した電気信号を発生する音声合成手段と、
音声合成手段からの電気信号を音声に変換し、周囲へ音声として放射するスピーカーと、を備えることを特徴とする通話装置。
【請求項６】
前記通話内容以外の音声データを、通話時に保存し、その保存された音声データを音声として再生することを特徴とする請求項４または５記載の通話装置。
【請求項７】
通話者の音声の逆位相の音声データおよび通話内容以外の音声データを音声として再生するステップを有することを特徴とする通話内容隠蔽方法。
【請求項８】
マイクにより通話者の音声を取り込み、電気信号に変換するステップと、
音声位相反転手段により前記電気信号を音声としての位相が逆転した電気信号に変換するステップと、
ダミー音声再生再生手段により通話内容以外の音声の電気信号を発生するステップと、
音声合成手段により音声位相反転手段からの電気信号と、ダミー音声再生再生手段からの電気信号を受け取り、それぞれの信号の位相を合成した電気信号を発生するステップと、
スピーカーにより音声合成手段からの電気信号を音声に変換し、周囲へ音声として放射するステップと、を有することを特徴とする通話内容隠蔽方法。
【請求項９】
前記通話内容以外の音声データを、通話時に保存し、その保存された音声データを音声として再生するステップをさらに有することを特徴とする請求項７または８記載の通話内容隠蔽方法。
【請求項１０】
通話者の音声の逆位相の音声データおよび通話内容以外の音声データを音声として再生するステップを実行させることを特徴とするプログラム。
【請求項１１】
マイクにより通話者の音声を取り込み、電気信号に変換するステップと、
音声位相反転手段により前記電気信号を音声としての位相が逆転した電気信号に変換するステップと、
ダミー音声再生再生手段により通話内容以外の音声の電気信号を発生するステップと、
音声合成手段により音声位相反転手段からの電気信号と、ダミー音声再生再生手段からの電気信号を受け取り、それぞれの信号の位相を合成した電気信号を発生するステップと、
スピーカーにより音声合成手段からの電気信号を音声に変換し、周囲へ音声として放射するステップと、を実行させることを特徴とするプログラム。
【請求項１２】
前記通話内容以外の音声データを、通話時に保存し、その保存された音声データを音声として再生するステップをさらに実行させることを特徴とする請求項１０または１１記載のプログラム。
【発明の詳細な説明】
【技術分野】
【０００１】
本発明は、回線を介した相手と会話する装置において、会話に無関係な周囲の人間による会話内容の傍受を防止し、会話内容の秘匿をより確実にすることができる通話内容隠蔽システム、通話装置、通話内容隠蔽方法およびプログラムに関する。
【背景技術】
【０００２】
従来、通話内容を周囲へ秘匿するために、通話者の口から直接伝搬する声に、通話者の声とは逆位相の音声を干渉させ打ち消すことにより、周囲へ通話内容が聞こえないようにする技術があった。
【０００３】
ここで、電話機の通話音声を通話者以外の同乗者に聴取不能とする車載用通話音声の遮音装置に、通話音声を集音するマイクロホンと、聴取不能とすべき対象座席に設けられたスピーカーと、マイクロホンに入力された通話音声を逆位相の音声信号に変換してスピーカーに出力する位相反転器とを備えることで、乗車中に電話しても同乗者が聞き取ることができない車載用通話音声の遮音装置を提供することができる技術が提案されている（例えば、特許文献１参照）。
【特許文献１】特開平１１−１６５５９４号公報
【発明の開示】
【発明が解決しようとする課題】
【０００４】
しかしながら、上述した従来例においては次のような問題点があった。
【０００５】
まず、音声に対し、電気的にその逆位相の音声を発生させ、干渉させて打ち消す技術が効果を発揮するのは、比較的低い周波数帯域の音声に対してである。人間の声はそれに比べると高い周波数帯域を持っているため、逆位相の音声による干渉の効果が低く、周囲の人間は内容を傍受することが比較的容易である。
【０００６】
また、通話時の声が完全に周囲へ聞こえない場合、周囲の人間は通話者が何も話さずに通話しているかのように見えるため、通話者に対し疑念を持つ可能性がある。
【０００７】
そこで、本発明は、周囲の関心を通話内容ではなく無関係な音声に向けることができ、通話内容を隠蔽することができる通話内容隠蔽システム、通話装置、通話内容隠蔽方法およびプログラムを提供することを目的とする。
【課題を解決するための手段】
【０００８】
請求項１記載の発明は、通話者の音声の逆位相の音声データおよび通話内容以外の音声データを音声として再生することを特徴とする通話内容隠蔽システムである。
【０００９】
請求項２記載の発明は、通話者の音声を取り込み、電気信号に変換するマイクと、電気信号を音声としての位相が逆転した電気信号に変換する音声位相反転手段と、通話内容以外の音声の電気信号を発生するダミー音声再生再生手段と、音声位相反転手段からの電気信号と、ダミー音声再生再生手段からの電気信号を受け取り、それぞれの信号の位相を合成した電気信号を発生する音声合成手段と、音声合成手段からの電気信号を音声に変換し、周囲へ音声として放射するスピーカーとを備えることを特徴とする通話内容隠蔽システムである。
【００１０】
請求項３記載の発明は、請求項１または２記載の通話内容隠蔽システムにおいて、通話内容以外の音声データを、通話時に保存し、その保存された音声データを音声として再生することを特徴とする。
【００１１】
請求項４記載の発明は、通話者の音声の逆位相の音声データおよび通話内容以外の音声データを音声として再生することを特徴とする通話装置である。
【００１２】
請求項５記載の発明は、通話者の音声を取り込み、電気信号に変換するマイクと、電気信号を音声としての位相が逆転した電気信号に変換する音声位相反転手段と、通話内容以外の音声の電気信号を発生するダミー音声再生再生手段と、音声位相反転手段からの電気信号と、ダミー音声再生再生手段からの電気信号を受け取り、それぞれの信号の位相を合成した電気信号を発生する音声合成手段と、音声合成手段からの電気信号を音声に変換し、周囲へ音声として放射するスピーカーとを備えることを特徴とする通話装置である。
【００１３】
請求項６記載の発明は、請求項４または５記載の通話装置において、通話内容以外の音声データを、通話時に保存し、その保存された音声データを音声として再生することを特徴とする。
【００１４】
請求項７記載の発明は、通話者の音声の逆位相の音声データおよび通話内容以外の音声データを音声として再生するステップを有することを特徴とする通話内容隠蔽方法である。
【００１５】
請求項８記載の発明は、マイクにより通話者の音声を取り込み、電気信号に変換するステップと、音声位相反転手段により電気信号を音声としての位相が逆転した電気信号に変換するステップと、ダミー音声再生再生手段により通話内容以外の音声の電気信号を発生するステップと、音声合成手段により音声位相反転手段からの電気信号と、ダミー音声再生再生手段からの電気信号を受け取り、それぞれの信号の位相を合成した電気信号を発生するステップと、スピーカーにより音声合成手段からの電気信号を音声に変換し、周囲へ音声として放射するステップとを有することを特徴とする通話内容隠蔽方法である。
【００１６】
請求項９記載の発明は、請求項７または８記載の通話内容隠蔽方法において、通話内容以外の音声データを、通話時に保存し、その保存された音声データを音声として再生するステップをさらに有することを特徴とする。
【００１７】
請求項１０記載の発明は、通話者の音声の逆位相の音声データおよび通話内容以外の音声データを音声として再生するステップを実行させることを特徴とするプログラムである。
【００１８】
請求項１１記載の発明は、マイクにより通話者の音声を取り込み、電気信号に変換するステップと、音声位相反転手段により電気信号を音声としての位相が逆転した電気信号に変換するステップと、ダミー音声再生再生手段により通話内容以外の音声の電気信号を発生するステップと、音声合成手段により音声位相反転手段からの電気信号と、ダミー音声再生再生手段からの電気信号を受け取り、それぞれの信号の位相を合成した電気信号を発生するステップと、スピーカーにより音声合成手段からの電気信号を音声に変換し、周囲へ音声として放射するステップとを実行させることを特徴とするプログラムである。
【００１９】
請求項１２記載の発明は、請求項１０または１１記載のプログラムにおいて、通話内容以外の音声データを、通話時に保存し、その保存された音声データを音声として再生するステップをさらに実行させることを特徴とする。
【発明の効果】
【００２０】
本発明の通話内容隠蔽システム、通話装置、通話内容隠蔽方法およびプログラムによれば、周囲の関心を通話内容ではなく無関係な音声に向けることができ、通話内容を隠蔽することができる。
【発明を実施するための最良の形態】
【００２１】
次に、本発明の第１の実施の形態について図を参照して詳細に説明する。
【００２２】
図１を参照すると、本実施の形態における通話内容隠蔽システムは、回線接続部１１と、指向性マイク１２と、スピーカーａ１３と、スピーカーｂ１４と、音声位相反転部１５と、ダミー音声再生部１６と、音声合成部１７とから構成されている。なお、電話機等の１つの装置で実現されても、複数の装置を利用するシステム構成として実現することであってもいずれでもよい。
【００２３】
通話の際、通話者の声は指向性マイク１２に取り込まれ、電気信号に変換される。
【００２４】
この電気信号は回線接続部１１を介して回線の先へ伝達されると同時に、音声位相反転部１５により音声としての位相が逆転した電気信号に変換される。
【００２５】
ダミー音声再生再生部１６は、通話とは無関係な音声の電気信号を発生する機能を有している。
【００２６】
音声合成部１７は、音声位相反転部１５からの電気信号と、ダミー音声再生部１６からの電気信号を受け取り、それぞれの信号の位相を合成した電気信号を発生する機能を有している。
【００２７】
スピーカーｂ１４は、音声合成部１７からの電気信号を音声に変換し、周囲へ音声として放射する機能を有している。
【００２８】
スピーカーａ１３は、回線の先からの電気信号と、マイクからの電気信号の両方を音声として通話者の耳へ伝搬させる機能を有している。つまりスピーカーａ１３から通話者の耳へ伝搬される音声は通話内容の音声である。
【００２９】
その一方、スピーカーｂ１４から周囲へ放射される音声は、通話者の声が位相反転した音声と、ダミー音声再生部１６からの音声の合成である。通話者の声は通話者の口から直接周囲へ伝搬されるが、スピーカーｂ１４に含まれる、通話者の声を位相反転した音声が干渉し打ち消すため、周囲へはダミー音声再生部１６から発生される音声のみが伝搬する。
【００３０】
ダミー音声は、通話内容とは無関係であるが、通話者の声から作成された、架空の通話内容であることが望ましい。
【００３１】
ダミー音声を通話者の声から作成するためには、通話の事前に通話者が通話者自身の声を録音するが、ここで、第三者が違和感を感じないような架空の通話を何の指針もなく作成することには多少の困難を伴なう。
【００３２】
よって、本システムに、実際の通話時に通話者の声を保存する機能を実現し、ダミー音声を作成する助力とする。
【００３３】
図２は、通話者が通話を行なった際に発した声をダミー音声として保存し、別の通話機会での通話内容の秘匿に使用するために準備するシステム構成を表す図である。
【００３４】
本実施の形態における通話内容隠蔽システムは、ダミー音声保存領域１８を有しており、ダミー音声再生部１６は、ダミー音声保存領域１８へ電気信号を保存し、また、ダミー音声保存領域１８から電気信号を取り出すことができる。
【００３５】
通話において、通話者が発した声は、指向性マイク１２で電気信号に変換され、回線接続部１１を介して回線の先の通話相手へ伝達され、またスピーカーａ１３から通話者の耳へ伝搬されるとともに、ダミー音声再生部１６によってダミー音声保存領域へ保存される。
【００３６】
ダミー音声保存領域１８に保存されたダミー音声を、図１で通話者が通話内容を隠蔽する際、ダミー音声再生部１６から音声合成部１７を介してスピーカーｂ１４から周囲へ放射する。
【００３７】
次に、図１に示す通話内容隠蔽システムの通話において通話の開始から終了までを隠蔽する手順を図３に示すタイムチャートを参照して詳細に説明する。
【００３８】
まず、通話装置等の通話装置を用いる通話者は、通話の準備段階（Ｓ３０１）で、通話発信時あるいは着信時、通話開始前に通話内容を隠蔽するか否かを決定する（Ｓ３０２）。
【００３９】
通話を隠蔽する場合（Ｓ３０２／Ｙｅｓ）、隠蔽開始となり（Ｓ３０３）、通話が開始されると（Ｓ３０４）、通話者の声は指向性マイク１２に取り込まれ、電気信号に変換される（Ｓ３０５）。
【００４０】
この電気信号は回線接続部１１を介して回線の先へ伝達されると同時に、音声位相反転部１５により音声としての位相が逆転した電気信号に変換される（Ｓ３０６）。
【００４１】
ダミー音声再生再生部１６は、通話とは無関係な音声の電気信号を発生する（Ｓ３０７）。
【００４２】
音声合成部１７は、音声位相反転部１５からの電気信号と、ダミー音声再生部１６からの電気信号を受け取り、それぞれの信号の位相を合成した電気信号を発生する（Ｓ３０８）。
【００４３】
スピーカーｂ１４は、音声合成部１７からの電気信号を音声に変換する（Ｓ３０９）。
【００４４】
スピーカーｂ１４からは、ダミー音声と、指向性マイクに入った音声の位相反転した音声が周囲へ放射される（Ｓ３１０）。
【００４５】
通話終了後、スピーカーｂ１４からの周囲への音声放射が停止する（Ｓ３１１）。
【００４６】
そして、通話内容を隠蔽していたか否かを判定し（Ｓ３１２）、通話内容を隠蔽していた場合（Ｓ３１２／Ｙｅｓ）、隠蔽終了となり（Ｓ３１３）、処理が終了する。
【００４７】
上記の実施の形態によれば、通話中、通話者の声は、逆位相の音声により干渉され周囲へ伝搬しなくなるので、通話内容が隠蔽できる。
【００４８】
また、通話中、無関係な音声が周囲に伝搬するので、周囲の関心を通話内容ではなく無関係な音声に向けることができる。
【００４９】
また、通話中に周囲に伝搬する音声が、通話者本人の声による架空の通話内容であるので、周囲に対し、実際の通話内容とは異なる内容の通話を行なっていると装うことができる。
【００５０】
次に、本発明の第２の実施の形態について図を参照して詳細に説明する。
【００５１】
その基本的構成は上記の第１の実施の形態と同様であるが、隠蔽に使用するダミー音声についてさらに工夫している。その構成を図４に示す。図４を参照すると、本実施の形態における通話内容隠蔽システムは、ダミー音声を複数個保存することが可能になっている。
【００５２】
ダミー音声が複数個あれば、通話者は隠蔽する通話の内容、隠蔽の対象となる周囲の人間に応じて、適切なダミー音声を選択することができる。
【００５３】
このため、本実施の形態では通話内容の隠蔽をより効果的に実現することができる。
【００５４】
次に、本発明の第３の実施の形態について図を参照して詳細に説明する。
【００５５】
上述の第１の実施の形態についての説明に用いた図３では、通話開始よりも前に隠蔽を開始し、通話終了後に隠蔽を終了する場合の流れを表しているが、本実施の形態では隠蔽の開始と終了のタイミングは任意とする点が相違する。
【００５６】
例えば、図５を参照すると、通話開始以降に隠蔽を開始し、通話が終わった後も隠蔽を続ける場合が説明されている。
【００５７】
まず、通話装置等の通話装置を用いる通話者は、通話の準備段階（Ｓ５０１）を経て、で、通話発信あるいは着信により、通話を開始する（Ｓ５０２）。
【００５８】
通話開始後に通話内容を隠蔽するか否かを決定する（Ｓ５０３）。
【００５９】
通話を隠蔽する場合（Ｓ５０３／Ｙｅｓ）、隠蔽開始となり（Ｓ５０４）、通話者の声は指向性マイク１２に取り込まれ、電気信号に変換される（Ｓ５０５）。
【００６０】
この電気信号は回線接続部１１を介して回線の先へ伝達されると同時に、音声位相反転部１５により音声としての位相が逆転した電気信号に変換される（Ｓ５０６）。
【００６１】
ダミー音声再生再生部１６は、通話とは無関係な音声の電気信号を発生する（Ｓ５０７）。
【００６２】
音声合成部１７は、音声位相反転部１５からの電気信号と、ダミー音声再生部１６からの電気信号を受け取り、それぞれの信号の位相を合成した電気信号を発生する（Ｓ５０８）。
【００６３】
スピーカーｂ１４は、音声合成部１７からの電気信号を音声に変換する（Ｓ５０９）。
【００６４】
スピーカーｂ１４からは、ダミー音声と、指向性マイクに入った音声の位相反転した音声が周囲へ放射される（Ｓ５１０）。
【００６５】
通話終了後、スピーカーｂ１４からの周囲への音声放射が停止する（Ｓ５１１）。
【００６６】
そして、通話内容を隠蔽していたか否かを判定し（Ｓ５１２）、通話内容を隠蔽していた場合（Ｓ５１２／Ｙｅｓ）、通話内容の隠蔽を終了するか否かを判断する（Ｓ５１３）。
【００６７】
通話内容の隠蔽を終了する場合（Ｓ５１２／Ｙｅｓ）、隠蔽終了となり（Ｓ５１４）、処理が終了する。
【００６８】
通話内容の隠蔽を終了しない場合（Ｓ５１２／Ｎｏ）通話が終了した後も通話が続いているように装い、隠蔽を続行する。
【００６９】
上記の実施の形態によれば、隠蔽のタイミングを実際の通話のタイミングから外すことにより、隠蔽の効果をさらに向上することができる。
【００７０】
なお、上述する各実施の形態は、本発明の好適な実施の形態であり、本発明の要旨を逸脱しない範囲内において種々変更実施が可能である。例えば、上記の各実施の形態における回線接続部１１、指向性マイク１２、スピーカーａ１３、スピーカーｂ１４、音声位相反転部１５、ダミー音声再生部１６および音声合成部１７の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【図面の簡単な説明】
【００７１】
【図１】本発明の実施形態における通話内容隠蔽システムの概略構成図である。
【図２】本発明の第１の実施形態における実施形態におけるダミー音声を保存する通話内容隠蔽システムの概略構成図である。
【図３】本発明の第１の実施形態における通話内容の隠蔽の処理動作を示すフローチャートである。
【図４】本発明の第２の実施形態における実施形態におけるダミー音声を保存する通話内容隠蔽システムの概略構成図である。
【図５】本発明の第３の実施形態における通話内容の隠蔽の処理動作を示すフローチャートである。
【符号の説明】
【００７２】
１１    回線接続部
１２    指向性マイク
１３    スピーカーａ
１４    スピーカーｂ
１５    音声位相反転部
１６    ダミー音声再生部
１７    音声合成部
【図１】
2006303721.tif 000003
【図２】
2006303721.tif 000004
【図３】
2006303721.tif 000005
【図４】
2006303721.tif 000006
【図５】
2006303721.tif 000007